(57)【要約】      （修正有）【課題】偏光サングラスをかけても良好な視認性を示す圧力検出表示装置を提供する。【解決手段】圧力検出表示装置１００は、上部電極２と下部電極３に圧電層１が挟まれた圧電センサ１０と、下部電極３の下に配置される偏光板２１と、偏光板２１の下側に配置される表示部材２２を備えた圧力検出表示装置１００であって、圧電層１が位相差板からなり、圧電層１の吸収軸が偏光板２１の遅延軸に対して２０°〜７０°の角度を形成するように圧電センサ１０と偏光板２１を配置するように構成した。【選択図】図１
2014235136.tif 000002
【特許請求の範囲】
【請求項１】
上部電極と下部電極に圧電層が挟まれた圧電センサと、
前記圧電センサの下部電極側に配置される偏光板と前記偏光板の下側に配置される表示部材を有する表示装置と、を備えた圧力検出表示装置であって、
前記圧電層が位相差板からなり、
前記圧電層の吸収軸が前記偏光板の遅延軸に対して２０°〜７０°の角度を形成するように前記圧電センサと前記偏光板が配置された圧力検出表示装置。
【請求項２】
前記圧電層のリタデーション値が、可視光の１／４波長である請求項１の圧力検出表示装置。
【請求項３】
前記圧電層のリタデーション値が、８００ｎｍ〜３００００ｎｍである請求項１の圧力検出表示装置。
【請求項４】
前記上部電極が、酸化インジウム錫、またはポリエチルジオキソチオフェンを含む請求項１〜３の圧力検出表示装置。
【請求項５】
前記下部電極が、酸化インジウム錫、またはポリエチルジオキソチオフェンを含む請求項１〜４の圧力検出表示装置。
【請求項６】
前記圧電層が、有機圧電材料からなる請求項１〜５の圧力検出表示装置。
【請求項７】
前記有機圧電材料が、ポリフッ化ビニリデンまたはポリ乳酸を含む請求項６の圧力検出表示装置。
【請求項８】
請求項１〜７の圧力検出表示装置とタッチパネルを備える電子機器。
【請求項９】
前記タッチパネルが静電容量型タッチパネルである請求項８の電子機器。
【発明の詳細な説明】
【技術分野】
【０００１】
本発明は、圧力検出表示装置及び電子機器に関するものである。
【背景技術】
【０００２】
与えられた荷重を検出するため、圧電層を用いた圧電センサが知られている。例えば、特許文献１には、透明感圧層と、一対の透明導電層からなる透明圧電センサが開示されている。なお、現在においては透明圧電センサと表示装置（主に液晶パネルや有機ＥＬパネル）とを組合せて圧力検出表示装置を製造する試みがなされている。
【先行技術文献】
【特許文献】
【０００３】
【特許文献１】特開２００４−１２５５７１号公報
【発明の概要】
【発明が解決しようとする課題】
【０００４】
しかしながら、上記の圧力検出表示装置においては、圧電センサを操作する際、偏光サングラスをかけていると、偏光サングラスの光波の吸収軸が、表示装置の上面に積層された偏光板から出射される光と同じ方向であった場合には、圧力検出表示装置の表示を視認できないという問題があった。
【課題を解決するための手段】
【０００５】
上記目的を達成するために、本発明は以下のように構成する。
【０００６】
本発明の圧力検出表示装置は、圧電センサと表示装置からなる。圧電センサは、上部電極と下部電極に圧電層が挟まれた構成からなる。表示装置は、偏光板と表示部材からなる。表示装置は、表示部材の圧電センサ側に偏光板が積層された構成からなる。なお、上記圧電層は、位相差板からなり、位相差板の吸収軸は偏光板の遅延軸に対して２０°〜７０°の角度を形成するように圧電センサと偏光板は配置されている。
【０００７】
そうすると、表示装置から出射された光は、直線偏光から楕円偏光に変換される。その結果、光波の吸収軸が表示部材の点灯光と同じ方向の偏光サングラスをかけている場合でも、圧電センサの下に配置された表示部材の表示を視認することができる。
【０００８】
上記位相差板のリタデーション値は、可視光波長の１／４波長であってもよい。
【０００９】
そうすると、表示装置の点灯光が、楕円偏光になって上方へ出射されるため、点灯光と同じ方向の吸収軸の偏光サングラスをかけていた場合でも、圧電センサの下に設置された表示装置をさらに良好に視認できる。
【００１０】
上記位相差板のリタデーション値は、８００ｎｍ〜３００００ｎｍであってもよい。
【００１１】
そうすると、表示部材から出射される光は、自然光に近い状態に変換されて圧電層から出射される。その結果、偏光サングラスをかけて表示部材を観察しても、色味の変化を伴わないで表示部材を観察できる。
【００１２】
上記上部電極は、酸化インジウム錫、またはポリエチルジオキソチオフェンを含んでいてもよい。
【００１３】
そうすると、上部電極の透明性が高くなるので、液晶や有機ＥＬなどの表示装置の上に圧電センサを配置できる。
【００１４】
上記下部電極は、酸化インジウム錫、またはポリエチルジオキソチオフェンを含んでいてもよい。
【００１５】
そうすると、下部電極の透明性が高くなるので、液晶や有機ＥＬなどの表示装置の上に圧電センサを配置できる。
【００１６】
上記圧電層は、有機圧電材料を含んでいてもよい。
【００１７】
そうすると、圧電層の柔軟性が大きくなるので、圧電センサの耐屈曲性が向上する。その結果、上記圧電センサをＲ曲面などに配置できる。
【００１８】
上記有機圧電材料は、ポリフッ化ビニリデンまたはポリ乳酸を含んでいてもよい。
【００１９】
そうすると、圧電層の透明性が高くなるので、液晶や有機ＥＬなどの表示装置の上に圧電センサを配置できる
【００２０】
電子機器は、圧電センサとタッチパネルを備えていてもよい。
【００２１】
そうすると、圧電センサに対し荷重がほとんどかからないような場合でも、荷重の位置検出ができる。
【００２２】
上記タッチパネルは、静電容量型のタッチパネルであってもよい。
【００２３】
そうすると、圧力検出装置全体の透明性が向上する。
【発明の効果】
【００２４】
本発明に係る圧力検出表示装置では、偏光サングラスをかけていた場合でも、圧電センサの下に設置された表示装置を良好に視認できる。
【図面の簡単な説明】
【００２５】
【図１】圧力検出表示装置の断面図である。
【図２】圧電センサの断面図である。
【図３】圧電センサの断面図である。
【図４】電子機器の断面図である。
【発明を実施するための形態】
【００２６】
下記で、本発明に係る実施形態を図面に基づいてさらに詳細に説明する。なお、本発明の実施例に記載した部位や部分の寸法、材質、形状、その相対位置などは、とくに特定的な記載がない限り、この発明の範囲をそれらのみに限定する趣旨のものではなく、単なる説明例にすぎない。
【００２７】
１． 第１実施形態
（１）圧力検出表示装置の構造
図１を用いて、本発明の圧力検出表示装置の構造を説明する。図１は圧力検出表示装置の断面図である。
【００２８】
圧力検出表示装置は、与えられた荷重の量と位置を検出する機能を有している。
図１示すように、圧力検出装置１００は、圧電センサ１０と表示装置２０とを備えている。圧電センサ１０は、表示装置２０の上に積層されている。なお、圧電センサ１０は、与えられた荷重に応じて電荷を発生させる装置である。圧電センサ１０は、圧電層１が上部電極２と下部電極３とに挟まれた構成からなる。表示装置２０は、圧電センサ１０の表面に表示物を表示する装置である。表示装置２０は、表示部材２２の上に偏光板２１が積層された構成からなる。
【００２９】
以下で圧電センサ１０を構成する各部材について説明する。
【００３０】
（２）圧電センサ
再び、図１に示すように、圧電センサ１０は、圧電層１と上部電極２と下部電極３とを備えている。
【００３１】
（３）圧電層
圧電層１は、荷重が与えられると電荷を発生するものである。そのような、圧電層１を構成する材料としては有機圧電材料が挙げられる。有機圧電材料としては、フッ化物重合体又はその共重合体、キラリティーを有する高分子材料などが挙げられる。フッ化物重合体又はその共重合体としては、ポリフッ化ビニリデン、フッ化ビニリデン−テトラフルオロエチレン共重合体、フッ化ビニリデン−トリフルオロエチレン共重合体などが挙げられる。キラリティーを有する高分子材料としては、Ｌ型ポリ乳酸や、Ｒ型ポリ乳酸などが挙げられる。
【００３２】
また、圧電層１は位相差板として機能を有する。圧電層１が位相差板の機能を有するには、上記有機圧電材料を延伸させるとよい。
【００３３】
（４）電極
上部電極２、下部電極３は、それぞれ平板状でもパターン化されていてもよい。なお、上部電極２、下部電極３は、導電性を有する材料により構成できる。導電性を有する材料としては、インジウム−スズ酸化物（Ｉｎｄｉｕｍ−Ｔｉｎ−Ｏｘｉｄｅ、ＩＴＯ）、スズ−亜鉛酸化物（Ｔｉｎ−Ｚｉｎｃ−Ｏｘｉｄｅ、ＴＺＯ）などのような透明導電酸化物、ポリエチレンジオキシチオフェン（Ｐｏｌｙｅｔｈｙｌｅｎｅｄｉｏｘｙｔｈｉｏｐｈｅｎｅ、ＰＥＤＯＴ）などの導電性高分子、などを用いることができる。この場合、上記の電極は、蒸着やスクリーン印刷などを用いて形成できる。
【００３４】
また、導電性を有する材料として、銅、銀などの導電性の金属を用いてもよい。この場合、上記の電極は、蒸着により形成してもよく、銅ペースト、銀ペーストなどの金属ペーストを用いて形成してもよい。
【００３５】
さらに、導電性を有する材料として、バインダー中に、カーボンナノチューブ、金属粒金属ナノファイバーなどの導電材料が分散したものを用いてもよい。
【００３６】
また、圧電センサ１０を、液晶装置や有機ＥＬ装置のような表示装置の上に配置する場合には、表示装置のディスプレイが見えるように、圧電層１を透明な材料により構成するか、又は、光が十分に透過できる程度に薄く構成することが好ましい。
【００３７】
表示装置２０は表示部材２２の上に偏光板２１が積層された構成からなる。
【００３８】
表示部材２２は、ガラス基板で液晶素子や有機ＥＬ素子などを挟んだ構成からなる。偏光板２１は、表示部材２２から射出された光のうち、特定方向の直線偏光のみを透過させるもので、例えば１５０μｍ〜２００μｍ程度の厚みに形成されている。
【００３９】
以上の構成において、圧電センサ１０背面の表示部材２２の表示を視認しながら、圧電層１の上面を指或いはペン等で押圧操作すると、圧電層１が撓み、撓んだ箇所の圧電層１から電荷が発生する。
【００４０】
そして、圧電層で発生した電荷は、上部電極２と下部電極３を経由して電子回路（図示しない）で検出される。なお、検出された電荷の電荷量によって、機器の様々な機能の切換えが行われる。
【００４１】
また、この時、表示部材２２の文字や記号、絵柄等の表示は、表示部材２２の上面に配置された偏光板２１がＸ方向及びこれと直交するＹ方向の光波のうち、例えばＹ方向の光波を吸収するものであった場合、Ｘ方向の直線偏光の点灯光となって、偏光板２１から出射される。しかし、この光は、位相差板の機能を有し、その吸収軸が偏光板２１の遅延軸に対して２０°〜７０°の角度を形成するように偏光板２１の上に配置された圧電層１によって、直線偏光から楕円偏光の光に変換される。なお、上記角度は、４０°から５０°であることが、さらに好ましい。
【００４２】
その結果、光波の吸収軸が表示部材２２の点灯光と同じ方向の偏光サングラスをかけている場合でも、圧電センサ１０の下に配置された表示部材２２の表示を視認することができるように構成されている。
【００４３】
さらに、圧電層１のリタデーション値が８００ｎｍ〜３００００ｎｍであれば、表示部材２２から出射される光は、色味の変化を伴わないで圧電層１から出射される。
その結果、表示部材２２から出射される光は、自然光に近い状態に変換されて圧電層１から出射される。その結果、偏光サングラスをかけて表示部材を観察しても、色味の変化を伴わないで表示部材２２を観察できる。
【００４４】
さらに、圧電層１のリタデーション値が可視光波長の１／４波長であれば、表示部材２２から出射される光は、圧電層１によって１／４波長ずれた光となって上方へ出射される。その結果、光波の吸収軸が表示装置２２の点灯光と同じ方向の偏光サングラスをかけている場合でも、圧電センサ１０の下に配置された表示部材２２の表示を、明確に視認できる。
【００４５】
このように本実施の形態によれば、圧電センサ１０の圧電層１が、位相差板の機能を有し、その吸収軸が偏光板２１の遅延軸に対して２０°〜７０°の角度を形成するように偏光板２１の上に配置されることによって、表示装置２０の点灯光が、圧電層１によって、直線偏光から楕円偏光の光に変換されて上方へ出射される。その結果、点灯光と同じ方向の吸収軸の偏光サングラスをかけていた場合でも、圧電センサ１０の下に配置された表示部材２２を視認できるものである。
【００４６】
さらに、圧電層１のリタデーション値を可視光波長の１／４波長とすることで、圧電層１から出射する光は、直線偏光から円偏光におおむね変換されるので、偏光サングラスをかけていた場合でも、圧電センサ１０の下に配置された表示部材２２をさらに明確に視認できる。
【００４７】
さらに、圧電層１のリタデーション値が８００ｎｍ〜３００００ｎｍであることで、表示部材２２から出射される光は、自然光に近い状態に変換されて圧電層１から出射される。その結果、偏光サングラスをかけて表示部材２２を観察しても、色味の変化を伴わないで表示部材２２を観察できる。
【００４８】
２．第２実施形態
圧電層１１は、活性な部分と不活性な部分を有するようにパターニングされていてもよい。
【００４９】
図２は、第６実施形態にかかる圧電センサの断面図である。
【００５０】
図２に示すように、圧電層１は、活性圧電部１ａと不活性圧電部１ｂからなる。
活性圧電部１ａは、圧電センサ１０に荷重が与えられたときに電荷が発生する部分である。反対に不活性圧電部１ｂは、荷重が与えられても電荷が発生しない部分である。
【００５１】
このように構成されていると、上部電極２または下部電極３付近で発生した電荷が漏れて、他の電極に混入するのを防止できる（クロストーク現象を防止できる）。その結果、位置検出精度と荷重検出精度を向上させることができる。
【００５２】
３．第３実施形態
上記では、上部電極２と下部電極３に圧電層１が挟まれた構成について説明してきたが、上部電極２と下部電極３の間に基準電極４が設けられていてもよい。
【００５３】
図３は、第３実施形態にかかる圧電センサの断面図である。
【００５４】
図３に示すように、第３実施形態の圧電センサ１０は、上部電極２と下部電極３の間に基準電極４が設けられている。上部電極２と基準電極４の間には、第１圧電層５が設けられている。下部電極３と基準電極４の間には、第２圧電層６が設けられている。第１圧電層５と第２圧電層６の材質は、圧電層１と同じである。基準電極４の材質も、上部電極２や下部電極３と同じである。
【００５５】
このように構成されていると、上部電極２または下部電極３付近で発生した電荷が漏れて、他の電極に混入するのを防止できる（クロストーク現象を防止できる）。その結果、位置検出精度と荷重検出精度を向上させることができる。また上記では、活性圧電部１ａの上に上部電極２または下部電極３が直接積層された例を示したが、活性圧電部１ａと上部電極２の間、または活性圧電部１ａと下部電極３の間には、接着剤やフィルムなどの絶縁材料が積層されていてもよい。
【００５６】
４．その他の実施形態
図４に示すように、圧電センサ１０の上にタッチパネル３０を積層してもよい。上記のように構成することで、与えられた荷重の位置と量を検出してもよい。
圧電センサ１０の上にタッチパネル３０を積層することにより、与えられた荷重の位置を検出できる。なお、タッチパネルの中でも、静電容量型タッチパネルを用いることが特に好ましい。
【符号の説明】
【００５７】
１：圧電層
１ａ：活性圧電部
１ｂ：不活性圧電部
２：上部電極
３：下部電極
４：基準電極
５：第１圧電層
６：第２圧電層
１０：圧電センサ
２０：表示装置
２１：偏光板
２２：表示部材
３０：タッチパネル
１００：圧力検出表示装置
【図１】
2014235136.tif 000003
【図２】
2014235136.tif 000004
【図３】
2014235136.tif 000005
【図４】
2014235136.tif 000006